(57)【要約】【課題】本発明の課題は、動物細胞内で発現可能な遺伝子を保持して良好な徐放効果を発揮できるハイドロゲルであり、しかも、徐放前後での形状変化がなく透明性に優れた実用的な遺伝子治療用の眼用レンズを提供することである。【解決手段】本発明は、眼の遺伝子治療に用いる薬剤を包括し徐放できるハイドロゲル製眼用レンズである。また、本発明は、非イオン性の親水性モノマーと（メタ）アクリルアミドを、４０〜９５：６０〜５重量％の割合で含む共重合体をアルカリ性の緩衝液中で処理を施して得られることを特徴とする前記のハイドロゲル製眼用レンズである。また、本発明は、包括し徐放させる眼の遺伝子治療用薬剤にプラスミドＤＮＡを用いることを特徴とする前記の眼用レンズである。【選択図】なし【特許請求の範囲】
【請求項１】
眼の遺伝子治療に用いる薬剤を包括し徐放できるハイドロゲル製眼用レンズ。
【請求項２】
非イオン性の親水性モノマーと（メタ）アクリルアミドを、４０〜９５：６０〜５重量％の割合で含む共重合体をアルカリ性の緩衝液中で処理を施して得られることを特徴とする請求項１に記載のハイドロゲル製眼用レンズ。
【請求項３】
包括し徐放させる眼の遺伝子治療用薬剤にプラスミドＤＮＡを用いることを特徴とする請求項１または２に記載のハイドロゲル製眼用レンズ。
【発明の詳細な説明】
【技術分野】
【０００１】
本発明は、遺伝子治療に用いることができるハイドロゲル製眼用レンズに関するものである。更に詳しくは、眼細胞内にプラスミドＤＮＡを効果的に移入できるコンタクトレンズや眼内レンズ等の眼用レンズに関する。
【背景技術】
【０００２】
角膜ジストロフィーなどの遺伝的な眼疾患は、眼細胞内で発現される遺伝子の変異によって起こることが知られている。このような遺伝的な眼疾患の治療には、眼細胞内に正常な遺伝子を移入する方法が有望である。
【０００３】
従来、遺伝子の眼細胞への移入は、培養した細胞を移植する外科的な方法や点眼液による投与で行われている。しかしながら、外科的手法では、患者への負担が大きくなり、視力低下などの後遺症が発症する可能性がある。また、点眼液での投与は比較的容易であるが、薬剤が点眼後短時間で涙液により流れ出てしまうという欠点がある。
【０００４】
遺伝子を効果的に細胞内に移入させるには、その運び屋が必要であり、ウイルスを改良して使う方法、リポソームに封入する方法、プラスミドＤＮＡを用いる方法が知られている。ウイルスやリポソームを用いる場合は感染性や細胞毒性など心配があり、安全性に課題がある。また、これらを点眼液に添加して用いた場合、ある程度は細胞内への移入は可能であるが、涙液で希釈されるので眼細胞への移入には効果的ではない。
【０００５】
リポソームを用いた例として、哺乳類動物細胞内で発現可能な遺伝子ＤＮＡを組み込んだ発現用ベクターを内包したリポソームを含有する点眼剤がある（特許文献１参照）。これは、遺伝子の異常に起因する眼疾患に関与する異常遺伝子ＤＮＡに対する遺伝子治療を目的として、点眼により眼細胞へ遺伝子を移入する方法である。しかし、前述のごとく、遺伝子は点眼後短時間で涙液により希釈されてしまうので、角膜との接触時間をできるだけ長くする工夫が必要となる。遺伝子ＤＮＡを眼軟膏などに含有させて用いた場合は、角膜との接触時間が長くなる点では点眼液より優れているが、眼刺激や視野が曇るという欠点を有する。
【０００６】
一方、プラスミドＤＮＡを用いた場合は、ウイルス等を用いた場合に比べて安全性が高く、その構造や大きさを自由に選択することができるので、これを利用した遺伝子治療技術が最近注目されている。しかし、プラスミドＤＮＡは点眼液に添加して用いても、眼組織への十分な移入効果は発揮できない。
【０００７】
ところで、薬物を持続的に放出させる手段としてハイドロゲルの特性を利用することは、一般的に知られている。例えば、ハイドロゲル内部に蛋白質や遺伝子、生理活性物質などの薬物に対して、濃度傾斜分布を利用した組成物がある（特許文献２参照）。これは、アクリルアミド系ハイドロゲルをリン酸緩衝液とアルカリ性の水酸化ナトリウム水溶液とで挟み、ゲル内に水酸化ナトリウム水溶液によるアルカリ濃度の傾斜を形成させる。すなわち、水酸化ナトリウム水溶液側の強アルカリ性によりアミド基を加水分解して、ゲル内部にカルボキシル基の傾斜分布を形成させ、このカルボキシル基にカチオン性の薬物を担持させて効果的に薬物を放出させる技術である。しかし、この方法ではハイドロゲル中のカルボキシル基の濃度分布にムラが生じることがあり、眼用レンズとして用いた場合、ゲルの形状が安定せず視力を低下させてしまう、また、高濃度の高分子薬物を担持させた時に濃度分布によりゲルが白濁する問題が生じる。また、加水分解によるカルボキシル基濃度の傾斜分布では、アニオン性の薬物を担持させることはできない。
【特許文献１】特開平１０−６７６８８号公報
【特許文献２】特開２００４−３２３７７４号公報
【発明の開示】
【発明が解決しようとする課題】
【０００８】
本発明は、遺伝子の異常に起因する眼疾患に関与する異常遺伝子ＤＮＡ対する遺伝子治療を容易に行えるハイドロゲルの提供、特にハイドロゲル製眼用レンズを提供することを目的としている。さらに詳しくは、動物細胞内で発現可能な遺伝子を保持して良好な徐放効果を発揮できるハイドロゲルであり、しかも、徐放前後での形状変化がなく透明性に優れた実用的な遺伝子治療用の眼用レンズを提供することである。
【課題を解決するための手段】
【０００９】
本発明は、眼の遺伝子治療に用いる薬剤を包括し徐放できるハイドロゲル製眼用レンズである。
【００１０】
また、本発明は、非イオン性の親水性モノマーと（メタ）アクリルアミドを、４０〜９５：６０〜５重量％の割合で含む共重合体をアルカリ性の緩衝液中で処理を施して得られることを特徴とする眼の遺伝子治療に用いられるハイドロゲル製眼用レンズである。
【００１１】
さらに本発明は、包括し徐放させる眼の遺伝子治療用薬剤にプラスミドＤＮＡを用いることを特徴とする眼の遺伝子治療に用いられるハイドロゲル製眼用レンズである。
【発明の効果】
【００１２】
本発明の眼用レンズは、動物細胞内で発現可能な遺伝子を包括して２４時間以上にわたり放出でき、眼用レンズとして実用的な透明性、形状安定性に優れたものである。
【発明を実施するための最良の形態】
【００１３】
本発明者は、眼の遺伝子治療に用いる薬剤を眼細胞へ移入する手段として、ハイドロゲル製眼用レンズで効果的に当該薬剤を放出する方法、特に、アニオン性官能基を有する当該薬剤とハイドロゲル中の電解性基や極性基との静電的相互作用を利用する方法を鋭意検討して得られた知見に基づくものである。
【００１４】
本発明においては、眼の遺伝子治療に用いる薬剤を効果的に利用するために、アミド基を有するハイドロゲルを特定条件下でアルカリ処理をすることで、加水分解により当該アミド基をカルボキシル基へ転換させることなく、当該ハイドロゲル中のアミド基の窒素原子への電荷の偏りを形成させるものである。具体的には、分子構造内のアニオン性官能基、特にカルボキシル基を少なくとも１つ以上含有する遺伝子治療用薬剤と当該ハイドロゲル間に適度な相互作用を発揮させて、当該薬剤を効果的に包括し徐放させるものである。
【００１５】
本発明で好ましく用いられる眼の遺伝子治療に用いる薬剤としては、分子構造内にアニオン性官能基、特にカルボキシル基を少なくとも１つ以上含有するプラスミドＤＮＡが挙げられる。プラスミドＤＮＡは環状ＤＮＡであり、そのままでも利用することが可能であるが、目的とする治療に合わせて所望のＤＮＡを包持することもできる。例えば、膠様滴状角膜ジストロフィーは角膜上皮に重度のアミロイド沈着を生じる常染色体劣性の遺伝子疾患である。この疾患は、角膜にアミロイドが沈着するため、透明性が失われ、視力が低下する。そして、これまでにこの原因遺伝子がＭ１Ｓ１(membrane component, chromosome 1, surface marker 1)遺伝子であることが見出されている。このＭ１Ｓ１遺伝子をプラスミドＤＮＡに組み込ませてキャリアとし、目的とする眼細胞へ移入することも可能である。本発明では、ハイドロゲル製眼用レンズを目的とする遺伝子、特にプラスミドＤＮＡを溶解した水溶液に浸漬して、当該レンズ中にプラスミドＤＮＡを包括させる。
【００１６】
水溶液中の遺伝子濃度は、その溶解度や動物細胞内への移入するための最小有効濃度及び最大安全濃度などにより、各々の遺伝子毎に適宜選定されるべきものであるが、通常、０．００１〜０．１μg/μLの濃度が好ましい。
【００１７】
本発明における眼用レンズでは、アミド基を有するモノマーとしてメタクリルアミドとアクリルアミドを用いる。本発明は、分子中に有する窒素原子のプラス電荷とプラスミドＤＮＡが有するカルボキシル基との相互作用を利用するものであるが、窒素原子を有してもこの他の化合物では目的とする効果は得られない。例えば、同様に分子末端に窒素原子を有する、メタクリルアミドプロピルトリメチルアンモニウムクロライド(MAPTAC)では、電荷が強すぎるのでプラスミドＤＮＡを担持することができても徐放効果は得られない。また、ジメチルアクリルアミドでは、窒素原子に結合するメチル基のため十分な電荷の偏りが形成できず、プラスミドＤＮＡを担持できない。
【００１８】
本発明で用いるメタクリルアミドとアクリルアミドを適宜選択すれば、得られるゲルの物性を選択することができる。例えば、アクリルアミドを使用すれば柔軟性に富む眼用レンズが得られ、含水率を増加させることができる。また、メタクリルアミドを使用すれば、コシのある眼用レンズが得られ、強度を向上でき、含水率を低下させることができる。これらは所望に応じて併用することもできる。
【００１９】
非イオン性の親水性モノマーとしては、少なくとも１種以上の親水基を分子内に有し、かつ非イオン性であればいかなるものでも可能である。例えば、２−ヒドロキシメチル（メタ）アクリレート、２−ヒドロキシエチル（メタ）アクリレート、２−ヒドロキシプロピル（メタ）アクリレート、２，３−ジヒドロキシプロピル（メタ）アクリレート及び２−ポリエチレングリコールモノ（メタ）アクリレート、２−ポリプロピレングリコール（メタ）アクリレート、Ｎ−ビニルピロリドンなどが挙げられ、これらを２種以上併用することもできる。これら親水性モノマーも適宜選択すれば、眼用レンズの含水率を変化させることができる。
【００２０】
これら主成分モノマーの使用量は、親水性モノマーに対してアミド系モノマーを５〜６０重量％の範囲内で使用することが好ましい。５重量％未満では、動物細胞内で発現可能な遺伝子の眼用レンズ内への包括量が極端に少なくなり、眼細胞への遺伝子の移入量が極端に少なくなる。６０重量％を超えると、遺伝子の包括量が増加し、その放出に伴って眼用レンズの形状が安定せず、また、機械的強度が低下するので好ましくない。
【００２１】
本発明は、上記成分に加えて、さらに任意の共重合可能なモノマーを使用することができる。例えば架橋性モノマーを使用することで眼用レンズの網目構造の形成及び機械強度の調節を図ることができる。架橋性モノマーとしては、例えばエチレングリコールジメタクリレート、メチレンビスアクリルアミド、２−ヒドロキシ−１，３−ジメタクリロキシプロパン、トリメチロールプロパントリアクリレートなどが挙げられる。架橋性モノマーの使用量は、主成分モノマー１００重量部に対して、外部で０．１〜４．０重量部が好ましい。特に好ましくは、０．１〜１．０重量部である。架橋性モノマーが０．１重量部より少ないときは、眼用レンズの形状安定性に顕著な効果が見られず、４．０重量部より多くなると架橋効果が過剰となり高分子ゲルが脆くなり好ましくない。
【００２２】
また、任意の共重合可能なモノマーとして、疎水性モノマーを用いれば、得られる眼用レンズの含水率や膨潤率の調節作用、眼用レンズ内への目的とする遺伝子の包括量の微調整などを図ることができる。疎水性モノマーとしては、本発明の必須成分である親水性モノマーや（メタ）アクリルアミドと相溶性があれば、いかなるものでも可能であるが、例えばメチルメタクリレート、イソブチルメタクリレート、２，２，２−トリフルオロメタクリレート、シクロヘキシルメタクリレートなどを挙げることができる。
【００２３】
本発明の１つの特徴は、アルカリ性の水溶液で本発明のために合成されたハイドロゲルを処理することである。これによって、該ゲル中に十分な電荷の偏りを形成できる。アルカリ性の水溶液処理の場合、強アルカリ性下ではゲル内部のアミド基がカルボキシル基に加水分解されて、眼用レンズ自体がマイナス電荷を帯び、同様にマイナスに帯電しているプラスミドＤＮＡは反発するので良好な持続放出が可能な眼用レンズは得られない。
【００２４】
本発明で使用するアルカリ性の水溶液としては、pH７．０を超える値で、かつ１１．０以下の緩衝系が好ましい。特に好ましい範囲はpH８〜１０である。緩衝作用を有する水溶液で処理することにより、眼用レンズの形状安定化させた状態でのアルカリ処理が可能であり好ましい。すなわち、緩衝系でない単なるアルカリ水溶液を用いた場合、処理の結果生じる電気的な変化により眼用レンズが大きくなったり、変形したりして、元の形状に戻らなくなり、強度も低下するので好ましくない。
【００２５】
また、pH７以下では、ゲル中のアミド基が中性的に存在するためプラスミドＤＮＡと相互作用を形成できないので、目的とする遺伝子を取り込んでもその状態を維持することが難しく、数時間程度で放出してしまう。また、pH１１．０を超える強アルカリ性になると、ゲル中の側鎖が加水分解されて変形し、眼用レンズとして使用することができない。
【００２６】
処理液は定法に従って調整すればよく、常温下で３０〜９０分程度これに浸漬すれば良い。
【００２７】
緩衝液としては、例えばリン酸緩衝液、マレイン酸/Tris/NaOH緩衝液、トリエタノールアミンHCl/NaOH緩衝液、５，５−ジエチルバルビツール酸Na/HCl緩衝液、ピロリン酸Na/HCl緩衝液、Tris/HCl緩衝液、ジエタノールアミン/HCl緩衝液、ホウ酸/NaOH緩衝液、ホウ酸Na/HCl緩衝液、アンモニア/塩化アンモニウム緩衝液、グリシン/NaOH緩衝液、炭酸ナトリウム/炭酸水素ナトリウム緩衝液、ホウ酸Na/NaOH緩衝液などが挙げられ、pH７．０を超える値で、かつ１１．０以下で緩衝作用の範囲に調節できるものであれば良い。
【００２８】
本発明の眼用レンズの製造に際しては、まず上記モノマーの混合物に重合開始剤を添加し、さらに撹拌・溶解させる。重合開始剤としては、ラジカル重合開始剤であればいかなるものでも使用でき、重合開始剤の添加量としては、モノマー総量に対して外部で１０〜３５００ppm程度が好ましい。また、重合は上記モノマー混合液を金属、ガラス、プラスチックなどの眼用レンズの成形型に入れ、密閉して行う。重合はラジカル重合であればいかなる方法でも可能であり、上記モノマー混合液に水や有機溶媒を添加し、重合することもできる。
【００２９】
上記の重合終了後、室温に冷却し、得られた重合物を成形型から取り出し、必要に応じて切削、研磨加工する。得られた眼用レンズは水和膨潤させて眼用レンズとする。この水和膨潤に使用される液体（膨潤液）としては、例えば水、生理食塩水、等張性緩衝液などが挙げられる。前記膨潤液を６０〜１００℃に加温し、一定時間浸漬させ、速やかに水和膨潤状態にする。また、前記膨潤処理により、重合体中に含まれる未反応性モノマーを除去することも可能となる。
【００３０】
次に、pH８〜１０に調整した緩衝液中へ室温で１時間浸漬させてアルカリ処理を施した後、眼用レンズを純水で十分に洗浄し、あらかじめ調整しておいたプラスミドＤＮＡを溶解させた水溶液中に浸漬する工程で本発明のハイドロゲル製眼用レンズが得られる。
【実施例】
【００３１】
以下、実施例により本発明を詳細に説明するが、本発明はこれらの実施例に限定されるものではない。
【００３２】
（評価方法）
[形状安定性の評価]
プラスミドＤＮＡ放出前後の眼用レンズを生理食塩水中で、コンタクトレンズ投影機を用いて測定した。プラスミドＤＮＡ放出前の眼用レンズに対して、形状の変化が認められない場合は○、大きさの変化や変形が認められた場合は×と評価した。
【００３３】
［含水率］
評価として含水系の「ハイドロゲルレンズでの含水率測定（ＩＳＯ10339:1997）」に基づき含水率を測定した。
【００３４】
[光線透過率の測定]
プラスミドＤＮＡ包括後のレンズを、紫外−可視分光光度計（UV-3150：島津製作所製）を用いて光線透過率を測定した。
【００３５】
[薬物放出の測定]
プラスミドＤＮＡ包括後のレンズを、２５℃、３mLの生理食塩水へ浸漬させ、２４時間ごとにその放出量をアガロースゲルによる電気泳動法にて測定した。測定の標準マーカーとして１ｋｂｐを用いた。１２時間にわたってプラスミドＤＮＡの放出が認められた場合には○、認められない場合には×とした。
【００３６】
[涙液への放出性評価]
プラスミドＤＮＡ包括後のレンズを家兎へ装着し、一定時間後の涙液を５μL、キャピラリー管にて採取した。採取した涙液中のプラスミドＤＮＡは、ＰＣＲ(Polymerase Chain Reaction)法にて増幅させ、アガロースゲルを用いた電気泳動で涙液中のプラスミドＤＮＡの存在を確認した。電気泳動には、標準マーカーとして１ｋｂｐを用いた。１２時間にわたって涙液中でプラスミドＤＮＡの存在が認められた場合には○、認められない場合には×とした。
【００３７】
[家兎角膜上皮細胞移入性の評価]
プラスミドＤＮＡ包括後のレンズを家兎へ装着し、装着後の家兎角膜上皮細胞を採取し、４８時間培養し、蛍光顕微鏡で観察した。プラスミドＤＮＡが移入した細胞は、ＧＦＰ(Green Fluorescent Protein)により蛍光で発色することでプラスミドＤＮＡの角膜上皮細胞への移入性を評価した。角膜上皮細胞への移入が認められた場合には○、認められない場合には×とした。
【００３８】
（実施例１）
２−ヒドロキシエチルメタクリレート(HEMA)９５重量％、アクリルアミド(AAm)５重量％に対して、エチレングリコールジメタクリレート(EDMA)０．３部（外部）、アゾビスイソブチロニトリル(AIBN)０．３部（外部）を添加して十分に窒素置換をしながら約１時間撹拌した。撹拌後、モノマー混合液を眼用レンズ用の成形型に入れ、５０〜１００℃の範囲で２５時間かけて昇温して重合させた。重合体は容器から取り出し、約８０℃の蒸留水中に約４時間浸漬して水和膨潤させて本実施例の眼用レンズとした。この眼用レンズを、pH８に調整したリン酸緩衝液(PBS)へ室温で１時間浸漬してアルカリ処理を施した後、十分に純水にて洗浄した。洗浄後の眼用レンズを、あらかじめ調製しておいたプラスミドＤＮＡ（CLONTEC社製）の０．０１μg/μL水溶液３mL中に２５℃、４８時間浸漬させることでプラスミドＤＮＡを包括させた。プラスミドＤＮＡが包括した眼用レンズを蒸留水３mL中に２５℃、２４時間浸漬し、遊離のプラスミドＤＮＡを除去した後に、上記の各種評価を行った。
【００３９】
（実施例２〜１０）
表１に示す組成にて、実施例１と同様な操作で水和膨潤した眼用レンズを得た。この眼用レンズを表１に示すpHに調整したリン酸緩衝液(PBS)で処理し、実施例１と同様の方法でプラスミドＤＮＡを包括させて、上記の各種評価を行った。
【００４０】
（比較例１〜５）
表１に示す組成にて、実施例１と同様な操作で水和膨潤した眼用レンズを得た。この眼用レンズを表１に示すpHに調整したリン酸緩衝液(PBS)で処理し、実施例１と同様の方法でプラスミドＤＮＡを包括させて、上記の各種評価を行った。比較例２は薬物の放出前後でのレンズ形状の変化が大きく、実用性が乏しいので、涙液への放出性と家兎角膜上皮細胞移入性の評価は行わなかった。
【００４１】
（比較例６）
表１に示す組成にて、実施例１と同様な操作で水和膨潤した眼用レンズを得た。この眼用レンズをpH７に調整した生理食塩水で処理し、実施例１と同様の方法でプラスミドＤＮＡを包括させて、上記の各種評価を行った。
【００４２】
（比較例７）
表１に示す組成にて、実施例１と同様な操作で水和膨潤した眼用レンズを得た。この眼用レンズをpH１２に調整した水酸化ナトリウム水溶液で処理し、実施例１と同様の方法でプラスミドＤＮＡを包括させて、上記の各種評価を行った。薬物の放出前後でのレンズ形状の変化が大きく、実用性が乏しいので、涙液への放出性と家兎角膜上皮細胞移入性の評価は行わなかった。
【００４３】
【表１】
2007187897.tif 000002
【００４４】
なお、［表１］中の記号は、以下である。
HEMA          ２−ヒドロキシエチルメタクリレート
HPMA          ２−ヒドロキシプロピルメタクリレート
NVP            Ｎ−ビニルピロリドン
AAm            アクリルアミド
MAm            メタクリルアミド
MAPTAC        メタクリルアミドプロピルトリメチルアンモニウムクロライド
DMAA          ジメチルアクリルアミド
EDMA          エチレングリコールジメタクリレート